(57)【要約】【課題】光ファイバ伝送路、光分岐挿入スイッチのいずれの障害に対しても、少なくとも１つの両方向の波長パスが障害の影響を受けず、他のスイッチングモジュールが処理している波長パスからの影響も受けない。【解決手段】入力ポート（Ｉｎ）から信号光を入力し、第１スルーポート（ＴｈｒＯｕｔ）とドロップポート（Ｄｒｏｐ）の少なくとも一方に出力するドロップ処理部（２１１Ｗ）と、第２スルーポート（ＴｈｒＩｎ）からの信号光を入力し、アドポート（Ａｄｄ）からの信号光を入力し、いずれか一方の入力を選択して出力ポート（Ｏｕｔ）から信号光を出力するアド処理部（２１２Ｗ）とを含む複数の光分岐挿入スイッチ（２０１Ｗ）を備え、隣接して配置されたドロップ処理部およびアド処理部において、ドロップ処理部を通過する信号光の波長とアド処理部を通過する信号光の波長とが異なる。【選択図】図５
2007139826.tif 000002
【特許請求の範囲】
【請求項１】
入力ポートから信号光を入力し、第１スルーポートとドロップポートの少なくとも一方に出力するドロップ処理部と、
第２スルーポートからの信号光を入力する第１可変光減衰器と、アドポートからの信号光を入力する第２可変光減衰器と、前記第１可変光減衰器または前記第２可変光減衰器のいずれか一方の出力を選択して、出力ポートから信号光を出力する第２光スイッチとを含むアド処理部とを含む複数の光分岐挿入スイッチを備え、
隣接して配置された前記ドロップ処理部および前記アド処理部において、該ドロップ処理部を通過する信号光の波長と該アド処理部を通過する信号光の波長とが異なることを特徴とするスイッチモジュール。
【請求項２】
１〜ｋ（ｋ≧４の整数）個の波長の信号光に対して、ｋ個の前記光分岐挿入スイッチを備え、ｋ個の前記ドロップ処理部とｋ個の前記アド処理部とが交互に配置され、
ｘ番目のドロップ処理部に、ｋ＝ｘ番目の波長が割り当てられ、
ｘ≦ｋ／２のときｘ番目のアド処理部に、ｋ＝ｘ＋ｋ／２の波長が割り当てられ、
ｘ＞ｋ／２のときｘ番目のアド処理部に、ｋ＝ｘ−ｋ／２の波長が割り当てられることを特徴とする請求項１に記載のスイッチングモジュール。
【請求項３】
ｍ（ｍ≧１の整数）個の前記スイッチングモジュールを集約して、ｍ×ｋ個の波長の両方向の波長パスをスイッチングすることを特徴とする請求項２に記載のスイッチングモジュール。
【請求項４】
前記ドロップ処理部の前記第１スルーポートおよび前記アド処理部の前記第２スルーポートが、対向する光分岐挿入スイッチのアド処理部の第２スルーポートおよびドロップ処理部の第１スルーポートに、それぞれ２ｋ芯の多芯ファイバを用いて接続され、
前記ドロップ処理部の前記ドロップポートおよび前記アド処理部の前記アドポートが、２ｋ芯の多芯ファイバを用いて、端局装置に接続されることを特徴とする請求項２に記載のスイッチングモジュール。
【発明の詳細な説明】
【技術分野】
【０００１】
本発明は、スイッチングモジュールに関し、より詳細には、任意の波長パスのスイッチングを行うための波長分割多重通信システムにおけるスイッチングモジュールに関する。
【背景技術】
【０００２】
波長分割多重（ＷＤＭ）を用いた光ファイバ伝送路を介して、複数のノードをリング状またはバス状に接続した波長分割多重通信システムが知られている。各ノードには、波長毎に接続を切り替える光スイッチが装備されており、波長パスの構成を容易に変更することができることから、再構成可能光アドドロップ多重（ＲＯＡＤＭ）システムと呼ばれている。各々のノードのスイッチング動作は、一方の光ファイバ伝送路から入力された任意の波長の光信号を、他方の光ファイバ伝送路に出力するスルーモードと、光ファイバ伝送路から入力された任意の波長の光信号をノードに接続された端局装置に出力し（ドロップ動作）、端局装置から入力された任意の波長の光信号を光ファイバ伝送路に出力する（アド動作）アド／ドロップモードとを有している。このようなスイッチング動作によって、波長パスを、任意のノード間で任意の数だけ設定することができる。従って、波長分割多重通信システムは、トラヒック変動に対して、波長パスの構成を変更することにより柔軟に対応でき、伝送路や端局装置の障害に対して容易に対処できるという特徴がある。
【０００３】
図１に、従来のＲＯＡＤＭシステムのノードの構成を示す。ここでは隣接して接続されている２つのノードを、便宜的にそれぞれ西側ノードおよび東側ノードいい、西側ノードから東側ノードへの信号光の流れを右回り、東側ノードから西側ノードへの信号光の流れを左回りと規定する。右回りの波長多重信号光は、光ファイバ１０５Ｒから前置光増幅器１０４Ｒを介して、光分波器１０２Ｒに入力される。光分波器１０２Ｒは、入力された波長多重信号光を、波長ごとにｎ個の信号光に分離する。光分岐挿入スイッチ１０１Ｒ−１〜ｎは、ｎ個に分離された信号光それぞれに対して、スルーモードまたはアド／ドロップモードで動作する。光合波器１０３Ｒは、光分岐挿入スイッチ１０１Ｒ−１〜ｎからの光信号を波長多重信号光に多重する。波長多重信号光は、後置光増幅器１０６Ｒを介して光ファイバ１０７Ｒから東側ノードへ出力される。左回りの波長多重信号光は、図の符号をＲからＬに変えて、同様に説明することができる（例えば、特許文献１参照）。
【０００４】
図２に、従来の光分岐挿入スイッチの機能を示す。光分岐挿入スイッチ１０１Ｒ−１〜ｎ，１０１Ｌ−１〜ｎ（以下、Ｒ，Ｌを省略し１０１−１〜ｎまたは添字を省略し１０１と記載する）は、２入力２出力光スイッチであり、２つの入力ポート（Ｉｎ，Ａｄｄ）と２つの出力ポート（Ｏｕｔ，Ｄｒｏｐ）とを有する。スルーモードでは、ＩｎポートとＯｕｔポートが接続され、アド／ドロップモードではＩｎポートとＤｒｏｐポートとが接続され、ＡｄｄポートとＯｕｔポートとがそれぞれ接続される。
【０００５】
図３に、従来の光分岐挿入スイッチの詳細な構成を示す。光分岐挿入スイッチ１０１は、Ｉｎポートから入力された信号光を、Ｄｒｏｐポートまたは可変光減衰器（ＶＯＡ）１２２に分岐する光スイッチ１２１と、ＶＯＡ１２２の出力とＡｄｄポートに接続されているＶＯＡ１２３の出力とを選択する光スイッチ１２４とを含む。さらに、光分岐挿入スイッチ１０１は、ＶＯＡ１２２，１２３の減衰量を制御する制御回路（ＣＯＮＴ）１２５と、光スイッチ１２４の出力を分岐する分岐回路１２６と、分岐された出力光をモニタして制御回路１２５にフィードバックする光検出器１２７とを備えている。
【０００６】
光分岐挿入スイッチ１０１は、１枚の石英系光導波路基板により集積されており、光スイッチおよびＶＯＡをマッハツェンダ型干渉計により構成する。この光分岐挿入スイッチ１０１を、右回り（Ｒ）と左回り（Ｌ）にそれぞれｎ個実装することにより、図１に示したノードを構成することができる。
【０００７】
マッハツェンダ型干渉計は、２本の入力導波路に接続された３ｄＢカプラと、２本の出力導波路に接続された３ｄＢカプラとの間を、２本のアーム導波路で接続した構成を有している。一方のアーム導波路上には位相調整用の薄膜ヒータが配置されている。導波路を構成している石英系ガラスの屈折率は、熱光学効果によって、温度により変化するので、薄膜ヒータの通電加熱により、２本のアーム導波路の光路差を任意に制御することができる。このように、光路長差、すなわちマッハツェンダ型干渉計の干渉位相条件を変えることにより、一方の入力導波路より入力された信号光を、いずれかの出力先導波路から出力させたり、任意の分岐比で２本の出力導波路に分岐させたりすることができる。従って、光スイッチとしても、可変光減衰器としても動作させることができる。
【０００８】
【特許文献１】特開２００４−３７９６８号公報（第５，６図）
【発明の開示】
【発明が解決しようとする課題】
【０００９】
現用系／予備系の冗長構成を有する通信システムの切替方式として、片方向切替方式と双方向切替方式とが知られている。双方向切替方式は、切替の単位が送受信のペアで行われるので、通信が確立されるためには、正常な送信と正常な受信がペアとなっている必要がある。ＲＯＡＤＭシステムにおいて、現用系／予備系の冗長構成を双方向切替方式で実現するためには、伝送路の障害に対応できるように、東側ノード経由の送受信対を１ペアにし、かつ、西側ノード経由の送受信対を１ペアにして、現用系／予備系を構成する。
【００１０】
従来の光分岐挿入スイッチ１０１の構成では、西側ノードからの受信と東側ノードへの送信とが同じ光分岐挿入スイッチ１０１Ｒを通り、また、東側ノードからの受信と西側ノードへの送信とが同じ光分岐挿入スイッチ１０１Ｌを通ることになる。このような構成では、光分岐挿入スイッチ１０１Ｒが故障すると、西側ノードからの受信と、東側ノードへの送信が使えなくなる。すなわち、送受信対としては、西側ノード経由および東側ノード経由のいずれも不完全となることから、現用系／予備系の両方とも通信を確立することができなくなる。従って、従来の光分岐挿入スイッチでは、光ファイバ伝送路の障害を救済できるものの、光分岐挿入スイッチの障害を救済することができない。
【００１１】
また、複数の光分岐挿入スイッチを、石英系光導波路基板により集積して、スイッチングモジュールを構成した場合に、他の光分岐挿入スイッチの導波路からの信号光が漏れ込んだり、導波路端面における接続点からの反射戻り光が漏れ込む可能性がある。このような漏れ光が発生する場合、信号光の波長と漏れ光の波長とが同一の場合、これらを分離することは困難である。
【００１２】
本発明の目的は、光ファイバ伝送路、光分岐挿入スイッチのいずれの障害に対しても、少なくとも１ペアの送受信対、すなわち両方向の波長パスが障害の影響を受けないスイッチングモジュールを提供することにある。また、本発明の他の目的は、他の光分岐挿入スイッチが処理している波長パスからの影響を受けないスイッチングモジュールを提供することにある。
【課題を解決するための手段】
【００１３】
本発明は、このような目的を達成するために、請求項１に記載のスイッチモジュールは、入力ポートから信号光を入力し、第１スルーポートとドロップポートの少なくとも一方に出力するドロップ処理部と、第２スルーポートからの信号光を入力する第１可変光減衰器と、アドポートからの信号光を入力する第２可変光減衰器と、前記第１可変光減衰器または前記第２可変光減衰器のいずれか一方の出力を選択して、出力ポートから信号光を出力する第２光スイッチとを含むアド処理部とを含む複数の光分岐挿入スイッチを備え、隣接して配置された前記ドロップ処理部および前記アド処理部において、該ドロップ処理部を通過する信号光の波長と該アド処理部を通過する信号光の波長とが異なることを特徴とする。
【００１４】
請求項２に記載の発明は、請求項１に記載のスイッチングモジュールにおいて、１〜ｋ（ｋ≧４の整数）個の波長の信号光に対して、ｋ個の前記光分岐挿入スイッチを備え、ｋ個の前記ドロップ処理部とｋ個の前記アド処理部とが交互に配置され、ｘ番目のドロップ処理部に、ｋ＝ｘ番目の波長が割り当てられ、ｘ≦ｋ／２のときｘ番目のアド処理部に、ｋ＝ｘ＋ｋ／２の波長が割り当てられ、ｘ＞ｋ／２のときｘ番目のアド処理部に、ｋ＝ｘ−ｋ／２の波長が割り当てられることを特徴とする。
【００１５】
請求項３に記載の発明は、ｍ（ｍ≧１の整数）個の前記スイッチングモジュールを集約して、ｍ×ｋ個の波長の両方向の波長パスをスイッチングすることを特徴とする。
【００１６】
請求項４に記載の発明は、請求項２に記載のスイッチングモジュールにおいて、前記ドロップ処理部の前記第１スルーポートおよび前記アド処理部の前記第２スルーポートが、対向する光分岐挿入スイッチのアド処理部の第２スルーポートおよびドロップ処理部の第１スルーポートに、それぞれ２ｋ芯の多芯ファイバを用いて接続され、前記ドロップ処理部の前記ドロップポートおよび前記アド処理部の前記アドポートが、２ｋ芯の多芯ファイバを用いて、端局装置に接続されることを特徴とする。
【発明の効果】
【００１７】
以上説明したように、本発明によれば、ドロップ処理部とアド処理部とを含む複数の光分岐挿入スイッチを備えたので、光ファイバ伝送路、光分岐挿入スイッチのいずれの障害に対しても、少なくとも１ペアの送受信対、すなわち両方向の波長パスが障害の影響を受けない。
【００１８】
また、本発明によれば、隣接するドロップ処理部を通過する信号光の波長とアド処理部を通過する信号光の波長とが異なるので、他のスイッチングモジュールが処理している波長パスからの影響も受けない。
【００１９】
さらに、対向するスイッチングモジュール、端局装置との接続を、２ｋ芯の多芯ファイバを用いるので、多芯ファイバの増設単位を小さくすることができ、実装が容易になるとともに保守作業の利便性が向上する。
【発明を実施するための最良の形態】
【００２０】
以下、図面を参照しながら本発明の実施形態について詳細に説明する。
【００２１】
図４に、本発明の一実施形態にかかる光分岐挿入スイッチの構成を示す。光分岐挿入スイッチ２０１Ｗ，２０１Ｅ（以下、Ｗ，Ｅを省略し２０１と記載する。ポートの名称等も同様である。）は、Ｉｎポートから入力された信号光を、ＤｒｏｐポートまたはＴｈｒＯｕｔポートに分岐する光スイッチ２２１を有する。このブロックをＤｒｏｐＳＷ２１１という。
【００２２】
また、光分岐挿入スイッチ２０１は、ＴｈｒＩｎポートに接続されているＶＯＡ２２２の出力とＡｄｄポートに接続されているＶＯＡ２２３の出力とを選択する光スイッチ２２４と、ＶＯＡ２２２，２２３の減衰量を制御する制御回路（ＣＯＮＴ）２２５とを有する。さらに、Ｏｕｔポートへの出力光を分岐する分岐回路２２６と、分岐された出力光のレベルを検出し、その検出結果を制御回路２２５にフィードバックする光検出器２２７とを備えている。このブロックをＡｄｄＳＷ２１２という。
【００２３】
光分岐挿入スイッチ２０１は、石英系光導波路により集積されており、光スイッチおよびＶＯＡをマッハツェンダ型干渉計により構成する。
【００２４】
スルーモード時には、ＤｒｏｐＳＷ２１１においてＩｎポートとＴｈｒＯｕｔポートとが接続され、ＡｄｄＳＷ２１２においてＴｈｒＩｎポートとＯｕｔポートとがそれぞれ接続される。アド／ドロップモード時には、ＤｒｏｐＳＷ２１１においてＩｎポートとＤｒｏｐポートとが接続され、ＡｄｄＳＷ２１２においてＡｄｄポートとＯｕｔポートとがそれぞれ接続される。
【００２５】
光分岐挿入スイッチ２０１を、西側ノード向け２０１Ｗと東側ノード向け２０１Ｅにそれぞれ配置して、ＴｈｒＯｕｔＷポートとＴｈｒＩｎＥポートとを接続し、ＴｈｒＯｕｔＥポートとＴｈｒＩｎＷとを接続する。ＤｒｏｐＷポートおよびＡｄｄＷポートと、ＤｒｏｐＥポートおよびＡｄｄＥポートとは、それぞれ送受信対として端局装置に接続される。光分岐挿入スイッチ２０１Ｗ，２０１Ｅをそれぞれスルーモードに設定すると、このノードを通過するように、右回りと左回りの通信路が生成される。一方、光分岐挿入スイッチ２０１Ｗ，２０１Ｅをそれぞれアドドロップモードに設定すると、西側ノード経由の送受信号対と東側ノード経由の送受信号対とが、端局装置に接続される。端局装置からみると、西側ノード経由または東側ノード経由の一方を現用系、他方を予備系とする冗長構成をとることができる。
【００２６】
この構成によれば、現用系と予備系の光ファイバ伝送路が異なるノードを経由することから、双方向切替方式を適用した場合でも、光ファイバ伝送路の故障を救済することができる。また、光分岐挿入スイッチは、現用系と予備系がそれぞれ別の光分岐挿入スイッチに収容されていることから、双方向切替方式を適用した場合でも、光分岐挿入スイッチの故障を救済することができる。従って、光ファイバ伝送路の障害と光分岐挿入スイッチの障害とを救済することができる。
【００２７】
ＡｄｄＳＷ２１２において、光スイッチ２２４がＴｈｒＩｎポートに接続されているＶＯＡ２２２の出力を選択しているとき（スルーモード）は、ＶＯＡ２２３の減衰量を大きく設定し、光ゲートスイッチとして機能させることにより、Ａｄｄポート側の消光比を大きく確保することができる。同様に、光スイッチ２２４がｄｄポートに接続されているＶＯＡ２２３の出力を選択しているとき（アド／ドロップモード）は、ＶＯＡ２２２の減衰量を大きく設定し、光ゲートスイッチとして機能させることにより、ＴｈｒＩｎポート側の消光比を大きく確保することができる。通常、光スイッチ２２４Ｗ，２２４Ｅがアド／ドロップモードを選択しているとき、光スイッチ２２１Ｅ，２２１Ｗは、Ｄｒｏｐポートへの出力を選択しているので、スルーモードを選択したときの経路においては、スイッチ２２１の消光比が加わるので、更に高消光比を確保することができる。
【００２８】
光スイッチ２２１，２２４は、マッハツェンダ型干渉計により構成したが、１入力２出力の光分岐器で構成してもよい。ただし、ＤｒｏｐＳＷ２１１における挿入損失が増え、アド／ドロップモード時に、光スイッチ２２１で得られていた消光比が得られなくなる。一方、光分岐器は、マッハツェンダ型干渉計の光スイッチよりもコスト低減を図ることができる。
【００２９】
本実施形態では、光分岐挿入スイッチ２０１は、石英系光導波路で構成した。これは、石英系光導波路が集積性や低コスト化に優れるためである。他の実現手段、例えば、微小機械式の光スイッチ、可変減衰器を組み合わせて構成しても、光ファイバ伝送路の障害と光分岐挿入スイッチの障害とを救済することができるなど、本実施形態と同じ効果を得ることができる。
【００３０】
図５に、本発明の一実施形態にかかるスイッチングモジュールの構成を示す。一例として、図４に示した西側ノード向けの光分岐挿入スイッチ２０１（以下、Ｗ，Ｅを省略し２０１と記載する。ポートの名称等も同様である。）が、ｋ（＝４）個で１つのスイッチングモジュール３０１を構成している。従って、スイッチングモジュール３０１には、ｋ個のＤｒｏｐＳＷ２１１とｋ個のＡｄｄＳＷ２１２とが含まれ、図５に示すように、交互に配置される。
【００３１】
光分波器２０２の出力とｋ個のＤｒｏｐＳＷ２１１のＩｎポートとを接続し、ｋ個のＡｄｄＳＷ２１２のＯｕｔポートと光合波器２０３の入力とを接続する。ｋ個のＤｒｏｐＳＷ２１１のＴｈｒＯｕｔポートおよびｋ個のＡｄｄＳＷ２１２のＴｈｒＩｎポートを、２ｋ（＝８）芯の多芯ファイバ３１１を用いて、東側ノード向けのスイッチングモジュールと接続する。ｋ個のＤｒｏｐＳＷ２１１のＤｒｏｐポートおよびｋ個のＡｄｄＳＷ２１２のＡｄｄポートを、２ｋ芯の多芯ファイバ３１２を用いて、端局装置と接続する。
【００３２】
次に波長の割当について説明する。ｋ個の波長をそれぞれチャネル（ｃｈ）１からチャネル（ｃｈ）ｋに順番に割り当てる。ｋ個のＤｒｏｐＳＷ２１１−１〜２１１−ｋには、ｃｈ１〜ｋを順番に割り当てる。すなわち、ｘ番目のＤｒｏｐＳＷには、ｋ＝ｘのチャネルが割り当てられる。ｋ個のＡｄｄＳＷ２１２のうち、ＡｄｄＳＷ２１２−１〜２１２−ｋ／２には、ｃｈｋ／２＋１〜ｋを割り当てる。すなわち、ｘ≦ｋ／２のときｘ番目のＡｄｄＳＷには、ｋ＝ｘ＋ｋ／２のチャネルが割り当てられる。ｋ個のＡｄｄＳＷ２１２のうち、ＡｄｄＳＷ２１２−ｋ／２＋１〜２１２−ｋには、ｃｈ１〜ｋ／２を割り当てる。すなわち、ｘ＞ｋ／２のときｘ番目のＡｄｄＳＷには、ｋ＝ｘ−ｋ／２のチャネルが割り当てられる。
【００３３】
上述したように、スイッチングモジュール３０１を石英系導波路で構成した場合、他の導波路からの信号光が漏れ込んだり、導波路端面における接続点からの反射戻り光が漏れ込む可能性がある。このような漏れ光が発生する場合、信号光の波長と漏れ光の波長とが同一の場合、これらを分離することは困難である。本実施形態においては、上述したように波長を割り当てることにより、隣接するＤｒｏｐＳＷ２１１とＡｄｄＳＷ２１２とは、通過する信号光の波長が互いに異なる。従って、信号光の波長と漏れ光の波長とが異なるので、光合波器、光分波器において信号光と漏れ光とを容易に分離することができる。
【００３４】
図６に、複数のスイッチングモジュールを集約した構成を示す。一例として、図５に示した西側ノード向けのスイッチングモジュール３０１Ｗ（以下、Ｗ，Ｅを省略し２０１と記載する。ポートの名称等も同様である。）を、ｍ（＝８）個で１つのスイッチングモジュール４０１を構成している。このようにして、ｋ×ｍ（＝３２）波長の両方向の波長パスをスイッチングすることができる波長分割多重通信システムを実現することができる。
【００３５】
光分波器２０２および光合波器２０３とスイッチングモジュール３０１との接続は、それぞれｋ（＝４）芯の多芯ファイバを使用し、スイッチングモジュール３０１同士の接続は、２ｋ（＝８）芯の多芯ファイバを使用する。また、スイッチングモジュール３０１と端局装置との接続は、２ｋ芯の多芯ファイバを使用する。
【００３６】
このような配置により、２ｋ芯の多芯ファイバにｋ個の波長の両方向の波長パスを割り当てるので、多芯ファイバの増設単位がｋ個の波長となる。すなわち、使用する波長に応じて、小さい増設単位で多芯ファイバを用いることができ、効率的にスイッチングモジュールを構成することができる。
【００３７】
スイッチングノードを構成する上で、スイッチングモジュールなどの構成要素の間を接続する多芯ファイバの配置は、製造工程における実装の工数、保守作業における利便性に影響する。多芯ファイバの各芯の間に、別の多芯ファイバの芯を挿入して接続すると、工数の増加に伴う製造コストの増大を招き、保守作業の利便性を損なう。本実施形態によれば、ＴｈｒＯｕｔポートおよびＴｈｒＩｎポートをまとめた多芯ファイバと、ＤｒｏｐポートおよびＡｄｄポートをまとめた多芯ファイバとを交互に並べ、Ｉｎポートをまとめた多芯ファイバとＯｕｔポートをまとめた多芯ファイバとを交互に並べるので、構成要素の間の接続が容易となり、実装が容易になるとともに保守作業の利便性が向上する。
【００３８】
図７に、本発明の一実施形態にかかるスイッチングモジュールのチャネル配置を示す。図６に示したように、３２波長の波長分割多重通信システムにおけるチャネル配置を示す。ｃｈ１〜４の両方向の波長パスは、スイッチモジュール３０１Ｗ−１の光分岐挿入スイッチ２０１Ｗ−１〜２０１Ｗ−４に収容し、ｃｈ５〜８の両方向の波長パスは、スイッチモジュール３０１Ｗ−２の光分岐挿入スイッチ２０１Ｗ−５〜２０１Ｗ−８に順次収容する。このようにして、隣接するＤｒｏｐＳＷ２１１とＡｄｄＳＷ２１２とは、通過する信号光の波長が互いに異なるようにし、多芯ファイバの増設単位が４個の波長となるように構成する。
【００３９】
以上述べたように、光分岐挿入スイッチを、スイッチモジュールを単位として配置し、波長群の入れ替えを容易にして、波長パスの配置に柔軟性を持たせるとともに、スイッチングノードの保守性を向上させることができる。
【図面の簡単な説明】
【００４０】
【図１】従来のＲＯＡＤＭシステムのノードを示す構成図である。
【図２】従来の光分岐挿入スイッチの機能を示す図である。
【図３】従来の光分岐挿入スイッチの詳細を示す構成図である。
【図４】本発明の一実施形態にかかる光分岐挿入スイッチを示す構成図である。
【図５】本発明の一実施形態にかかるスイッチングモジュールを示す構成図である。
【図６】複数のスイッチングモジュールを集約した構成を示す図である。
【図７】本発明の一実施形態にかかるスイッチングモジュールのチャネル配置を示す図である。
【符号の説明】
【００４１】
１０１，２０１  光分岐挿入スイッチ
１０２，２０２  光分波器
１０３，２０３  光合波器
１０４，２０４  前置光増幅器
１０５，１０７，２０５，２０７  光ファイバ
１０６，２０６  後置光増幅器
１２１，１２４，２２１，２２４  光スイッチ
１２２，１２３，２２２，２２３  ＶＯＡ
１２５，２２５  制御回路（ＣＯＮＴ）
２１１  ＤｒｏｐＳＷ
２１２  ＡｄｄＳＷ
３０１，４０１  スイッチングモジュール
３１１，３１２  多芯ファイバ
【図１】
2007139826.tif 000003
【図２】
2007139826.tif 000004
【図３】
2007139826.tif 000005
【図４】
2007139826.tif 000006
【図５】
2007139826.tif 000007
【図６】
2007139826.tif 000008
【図７】
2007139826.tif 000009